(57)【要約】      （修正有）【課題】トルマリンの持つ優れた特性を広くライフスタイルに浸透させ日常の生活空間を常に良好な環境に維持し続け傍に置くだけで楽しい、可笑しい、わくわく感、感動を起こさせる新規なトルマリンのパックを提供する。【解決手段】イラストを表示したトルマリンパック１の素材は廉価条件の有る市場向けには通気性の有る不織布で高周波パックする。他方中身のトルマリンを増やしたい交換したいまた見た目の豪華さを求める市場には成形樹脂や金属のパックを使用する。何れかを選択したトルマリンパック１の表面にグラビア印刷、スクリーン、曲面プリント、シールを用いてメッセージを表示し剥離式の両面接着で対象物に直接貼るかドア等の固定対象に吸盤２を着けてバネ線３で繋ぎ振動の増幅を講じる。バネ線３を介したトルマリンパック１と吸盤２の差し込み方法を１８０度差し替えることでイラスト面が取り付け対象に正対表示か裏面表示かの選択が出来る。【選択図】図１
0003196295.tif 000002
【実用新案登録請求の範囲】
【請求項１】
通気性の有る素材の表面にメッセージ性を持った写真やイラストをプリントしたトルマリンパックを壁や窓、ドア、狭い空間に取り付けることで見る人の心に感動や笑いを与えると同時に周囲にトルマリンの持つ遠赤、消臭、抗菌、水のＰＨ調整、マイナスイオンの実利効果をもたらすことを特徴とするトルマリンのパック。
【請求項２】
上記パックの取り付け方法は剥離紙による面接着だけでなく係留対象に止着した吸盤とバネ材に依って連結され係留対象の動きに依って上下左右に増幅運動することを特徴とするトルマリンのパック。
【考案の詳細な説明】
【技術分野】
【０００１】トルマリンの持つ優れた特性を広くライフスタイルに浸透させ日常の生活空間を常に良好な環境に維持し続け傍に置くだけで楽しい、可笑しい、わくわく感、感動を起こさせる新規なトルマリンのパックに関する。
【背景技術】
【０００２】従来のトルマリンを利用する目的はトルマリンから発生する遠赤外線を人体に与えることで血流を促進する治療効果が目的の健康、医療分野に多く利用されている。しかしトルマリンの持つ遠赤外線以外の特性で有る抗菌、水のＰＨ調整、消臭、吸湿、マイナスイオンの創出等の特性はあまり多く利用されていない。
工場の生産工程や環境設備に組み込まれるケースも有るが、多くは産業利用の範囲に留まっている。
【特許文献】
【０００３】
【特許文献１】  登録実用新案第３０９２０７４号公報
【考案の概要】
【考案が解決しようとする課題】
【０００４】現在分っているトルマリンの特性は主に５つ有る。
主な特性は遠赤、抗菌、消臭、吸湿、水のＰＨ調整が一般には知られている。
その中の人体に当てる遠赤外線効果が広く利用されているがそれ以外の優れた特性は広く日常生活に浸透し積極的に活用されてはいない。
【課題を解決するための手段】
【０００５】トルマリンを小分けに収納したパックの表面に見た目に楽しい気持ちにさせるメッセージ性の有るイラスト、写真、ロゴ、をプリントし日常生活の居住スポットに置くことで見る人の心を和ませ、楽しさや安らぎ、わくわく感と云った心にさせる。
同時にパック周辺にはトルマリンの持つ実用的な５つの効果が滞留する。
【考案の効果】
【０００６】過去にはプリクラから始まり最近ではラインのスタンプの様に見る者に対して瞬時に意志や賛同、問いかけをするメッセージ性の有る写真、イラストが社会に急速に拡大している。これは言葉の表現とは異なり絵型を見る者の感性に直接訴え心をゆさぶり、感動や笑いを起こさせる。従来のコミニケイションの性質とは違って視覚から心へ直接伝達するので瞬時にインパクトの有るメッセージを感性に与える。
本考案は小分けにしてトルマリンの持つ物質上の実用効果と上記のメッセージ性の有るイラストの感性が与えるインパクトを一体化して相乗効果を創出する効果がある。【０００７】上記のパックを冷蔵庫のドアに本考案の造作でセットすれば庫内のスポット空間を消臭、抗菌、水へのＰＨ調整等の食品に良好な空間に継続する。
例えば開ける度にママの「締めなさい」と云うイラストの有るトルマリンパックを見ることで子供に楽しみながら良い習慣を与えるだけでなく庫内の食品を常に良好な状態に保つ事が出来る。【０００８】上記の造作とはトルマリンの振動を与えると効果が回復する特性を利用して冷蔵庫内への止着用吸盤とトルマリンパックを柔らかい金属や樹脂のバネで連結する。
庫内のトルマリンパックがドアの開け閉めの度に受ける振動をバネの曲線形状で天地左右に増幅してトルマリンの５大効果を復元する。
同様の設定で家の玄関ドアにセットすれば出入りの度に大切な空間はマイナスイオンで良好に保たれる。【０００９】また車のリアーウインドウ内側に初心者マークや高齢者マークをプリントした本考案のパックを設置すれば後続車には動くマークへの注意が働き安全に役立つ。
他にも好きなイラスト例えば犬カエル等の動物、宇宙遊泳のクルーや天体、子供の喜ぶ恐竜、人気のアニメ、サッカー、自転車スポーツ、草花、名所、教訓等メッセージ性を持つトルマリンパックは感性を揺さぶり手元に置くだけで心が和むと同時にスポット空間はトルマリンから発生するマイナスイオンで良好に保たれると云う実益が伴う。
【図面の簡単な説明】
【００１０】
【図１】イラストをプリントしたトルマリンパックの正面図である。
【図２】イラストをプリントしたトルマリンパックの背面図である。
【図３】イラストをプリントしたトルマリンパックの側面図である。
【考案を実施するための形態】
【００１１】イラストを表示したトルマリンパックの素材は廉価条件の有る市場向けには通気性の有る不織布で高周波パックする。
他方中身のトルマリンを増やしたい交換したいまた見た目の豪華さを求める市場には成形樹脂や金属のパックを使用する。何れかを選択したトルマリンパックの表面にグラビア印刷、スクリーン、曲面プリント、シールを用いてメッセージを表示し剥離式の両面接着で対象物に直接はるかドア等の固定対象に吸盤を着けてバネ線で繋ぎ振動の増幅を講じる。  バネを介したイラストパックと吸盤の差し込み方法を１８０度差し替えることでイラスト面が取り付け対象に正対表示か裏面表示かの選択が出来る。
【産業上の利用可能性】
【００１２】車の室内の空気はエアーコンデショナーの普及で空質が良くない。
一部の高級グレードの車種にはイオン空気清浄器が装備されているが殆どの車種は市販の脱臭剤を置いている。
本考案はたんに消臭効果を期待するだけでなくマイナスイオンが停滞することで空質も含めて車内を良好な空間に保つ事が出来る。
【符号の説明】
【００１３】１  イラストが描かれたトルマリンパック
２  取り付け用の吸盤
３  トルマリンパックと吸盤の連結バネ
【図１】
0003196295.tif 000003
【図２】
0003196295.tif 000004
【図３】
0003196295.tif 000005
【手続補正書】
【提出日】平成26年12月2日(2014.12.2)
【手続補正１】
【補正対象書類名】実用新案登録請求の範囲
【補正対象項目名】全文
【補正方法】変更
【補正の内容】
【実用新案登録請求の範囲】
【請求項１】
通気性の有る素材の表面にメッセージ性を持った写真やイラストをプリントしたトルマリンパックを壁や窓、ドア、狭い空間に取り付けることで見る人の心に感動や笑を与えると同時に周囲にトルマリンの持つ遠赤、消臭、抗菌、水のＰＨ調整、マイナスイオンの実利効果をもたらすことを特徴とするトルマリンのパック。
【請求項２】
トルマリンのパックは剥離紙を用いて直接対象位置に面接着するだけでなく、係留対象に止着した吸盤とバネ材で連結され係留対象の動きに影響を受けて上下左右に増幅運動することを特徴とする請求項１に記載のトルマリンパック。